(57)【要約】【課題】浴室カウンターの側方から下側に入り込んだシャワーホースを浴室カウンターの側方にスムーズに引き出すことができる浴室カウンターを提供する。【解決手段】浴室空間（浴室）の第一壁部（壁面）から手前側に突出するように取り付けられる浴室カウンター２において、平面視形状が矩形に形成され、底面５３における幅方向の両側の端部分（幅方向の両側の端部近傍の領域）５３１，５３１が幅方向の中央から幅方向の端部に向かう方向に漸次上側に向かうように湾曲または傾斜している。【選択図】図６
2020032112.tif 000002
【特許請求の範囲】
【請求項１】
浴室の壁面から手前側に突出するように取り付けられる浴室カウンターにおいて、
平面視形状が矩形に形成され、底面における幅方向の両側の端部近傍の領域が幅方向の中央から幅方向の端部に向かう方向に漸次上側に向かうように湾曲または傾斜していることを特徴とする浴室カウンター。
【請求項２】
平面視形状における角部のうちの少なくとも奥行き方向の手前側の角部が、奥行き方向の奥側から手前側に向かって漸次幅方向の端部側から中央に向かうように湾曲または傾斜している請求項１に記載の浴室カウンター。
【請求項３】
前記底面は、幅方向の中央から両側の端部それぞれに向かう方向、および前記壁面側から手前側に向かう方向の少なくとも一方の方向に向かって漸次上側に向かうように湾曲または傾斜している請求項１または２に記載の浴室カウンター。
【請求項４】
前記底面は、前記壁面側の端部および幅方向の中央の少なくとも一方から、手前側の端部における幅方向の両側の両端部に向かって漸次上側に向かうように湾曲または傾斜している請求項１乃至３のいずれか一項に記載の浴室カウンター。
【発明の詳細な説明】
【技術分野】
【０００１】
本発明は、浴室カウンターに関する。
【背景技術】
【０００２】
従来、浴室内の壁面に取り付けられ、石鹸、洗面器等、浴室で使用する物品を載置する浴室カウンターが知られている（例えば、特許文献１参照）。
このような浴室カウンターは、壁面から突出するように設けられ、下面と床面との間は空間となっている。浴室カウンターは、壁部や浴槽のエプロン等に側方から挟まれた状態に設けられる場合と、側方が空いた状態に設けられる場合とがある。
【先行技術文献】
【特許文献】
【０００３】
【特許文献１】特開２０１８−５１１２３号公報
【発明の概要】
【発明が解決しようとする課題】
【０００４】
浴室カウンターの上方には、シャワーや水栓が設けられることが多い。浴室カウンターの上方にシャワーが設けられ、浴室カウンターの側方が空いている場合、シャワーホースが浴室カウンターの側方から下側に入り込むことがある。例えば、上下にスライド可能なシャワーフックにシャワーを取り付ける構造において、シャワーフックを下に配置した状態でシャワーをシャワーフックに取り付けると、シャワーホースが床面についてカウンターの下側に入り込むことがある。
浴室カウンターの側方から下側に入り込んだシャワーホースを浴室カウンターの前側に引き出すには、シャワーホースを側方に引っ張ることになる。このとき、一般に、使用者は浴室カウンターよりも上側および前側においてシャワーホースを前側に引っ張るため、シャワーホースは、上側かつ前側にも引っ張られることになる。
シャワーホースは、浴室カウンターの縁部に沿って側方に引き出されるが、浴室カウンターの前側部分の両側に角部があると、シャワーホースが角部に引っかかり、シャワーホースをスムーズに引き出すことができないという問題がある。
【０００５】
そこで、本発明は、浴室カウンターの側方から下側に入り込んだシャワーホースを浴室カウンターの側方にスムーズに引き出すことができる浴室カウンターを提供することを目的とする。
【課題を解決するための手段】
【０００６】
上記目的を達成するため、本発明に係る浴室カウンターは、浴室の壁面から手前側に突出するように取り付けられる浴室カウンターにおいて、平面視形状が矩形に形成され、底面における幅方向の両側の端部近傍の領域が幅方向の中央から幅方向の端部に向かう方向に漸次上側に向かうように湾曲または傾斜していることを特徴とする。
【０００７】
本発明では、平面視形状が矩形に形成された浴室カウンターの底面における幅方向の両側の端部近傍の領域が幅方向の中央から幅方向の端部に向かう方向に漸次上側に向かうように湾曲または傾斜している。これにより、浴室カウンターの側方から下側に入り込んだシャワーホースを引き出す際には、シャワーホースが浴室カウンターの底面における幅方向の両側の端部近傍の領域の湾曲または傾斜している部分に沿って移動し、シャワーホースが浴室カウンターに引っかかることがないため、シャワーホースを浴室カウンターの側方にスムーズに引き出すことができる。
本発明におけるカウンターの平面視形状の矩形とは、角部が湾曲していたり、辺が湾曲していたりする略矩形となる形状も含むものとする。
【０００８】
また、本発明に係る浴室カウンターでは、平面視形状における角部のうちの少なくとも奥行き方向の手前側の角部が、奥行き方向の奥側から手前側に向かって漸次幅方向の端部側から中央に向かうように湾曲または傾斜していてもよい。
このような構成とすることにより、浴室カウンターの側方から下側に入り込んだシャワーホースを引き出す際に、シャワーホースが浴室カウンターの角部に引っかかることがないため、シャワーホースを浴室カウンターの側方に容易に引き出すことができる。
【０００９】
また、本発明に係る浴室カウンターでは、前記底面は、前記壁面側から手前側に向かう方向、および幅方向の中央から両端部に向かう方向の少なくとも一方の方向に向かって漸次上側に向かうように湾曲または傾斜していてもよい。
このような構成とすることにより、浴室カウンターの側方から下側に入り込んだシャワーホースを引き出す際には、シャワーホースを上方に引き上げることでシャワーホースが底面に沿って側方および前側の少なくとも一方にガイドされるため、シャワーホースを浴室カウンターの側方に容易に引き出すことができる。
【００１０】
また、本発明に係る浴室カウンターでは、前記底面は、前記壁面側の端部および幅方向の中央の少なくとも一方から、手前側の端部における幅方向の両側の両端部に向かって漸次上側に向かうように湾曲または傾斜していてもよい。
このような構成とすることにより、浴室カウンターの側方から下側に入り込んだシャワーホースを引き出す際には、シャワーホースを上方に引き上げることでシャワーホースが底面に沿って側方かつ前側にガイドされるため、シャワーホースを浴室カウンターの側方に容易に引き出すことができる。
【発明の効果】
【００１１】
本発明によれば、浴室カウンターの側方から下側に入り込んだシャワーホースを浴室カウンターの側方にスムーズに引き出すことができる。
【図面の簡単な説明】
【００１２】
【図１】本発明の実施形態による浴室カウンターを用いた浴室ユニットの一例で、カウンターが使用状態である様子を示す図である。
【図２】本発明の実施形態による浴室カウンターを用いた浴室ユニットの一例で、カウンターが収納状態である様子を示す図である。
【図３】カウンターを上方から見た平面図である。
【図４】カウンターを奥行き方向の手前側から見た正面図である。
【図５】カウンターを幅方向から見た側面図である。
【図６】カウンターを下方から見た斜視図である。
【図７】図６のＡ−Ａ線断面図である。
【図８】図６のＢ−Ｂ線断面図である。
【発明を実施するための形態】
【００１３】
以下、本発明の実施形態による浴室カウンターについて、図１−図８に基づいて説明する。
図１に示すように、本実施形態による浴室カウンター２は、浴室空間ＢＲの第一壁部１０３に取り付けられ、上部に物品を載置可能に構成されている。
以下では、浴室カウンター２が設けられた浴室ユニット１００を例に説明する。なお、浴室カウンター２は浴室ユニット１００に限らず、在来工法により施工された浴室においても適用可能である。
【００１４】
浴室ユニット１００は、建物の躯体内にフレームとパネルとを用いて、床、壁、天井及び浴槽等を組み立てて設置される。浴室ユニット１００内に形成される浴室空間ＢＲ（浴室）には外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００１５】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００１６】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ右側、左側と称する。本実施形態では、幅方向の左側に浴槽１０１が配置され、右側に洗い場１０２が配置されている。
【００１７】
本実施形態による浴室カウンター２は、第一壁部１０３に固定されたブラケット３を介して第一壁部１０３に対して着脱可能に構成されている。
浴室カウンター２は、平板状に形成され、一方の面が物品を載置可能な載置面４１となっている。本実施形態では、浴室カウンター２は、載置面４１が上方を向く第一姿勢でブラケット３に装着可能であるとともに、図２に示すように、載置面４１が奥行き方向の奥側を向く第二姿勢でブラケット３に装着可能に構成されている。浴室カウンター２の他方の面（載置面４１と反対側の面）を裏面５１とする。
【００１８】
図１に示すような、浴室カウンター２が第一姿勢でブラケット３に装着されている状態を使用状態とし、図２に示すような浴室カウンター２が第二姿勢でブラケット３に装着されている状態を収納状態とする。浴室カウンター２は、使用状態となると載置面４１に物品を載置して使用でき、収納状態となると第一壁部１０３に沿って配置され、使用状態と比べて第一壁部１０３からの突出寸法が小さくなる。
以下の浴室カウンター２の説明では、浴室カウンター２が第一姿勢となり使用状態でブラケット３に装着されているものとする。
【００１９】
図３−図５に示すように、浴室カウンター２は、上側に配置され載置面４１が形成された天板部材４と、下側に配置され裏面５１が形成された底板部材５と、を有し、天板部材４と底板部材５とが接合されて構成されている。天板部材４および底板部材５は、それぞれ樹脂材料により形成されている。本実施形態では、天板部材４は外縁部分４２が下側に屈曲しており、この外縁部分の内側に底板部材５がはめ込まれている（図４−図６参照）。
【００２０】
浴室カウンター２は、厚さ方向から見た平面視における形状が幅方向に長尺となる略長方形であり、４つの角部２５が円弧形状に形成されている。浴室カウンター２は、平面視における幅方向の両側の縁部２６，２６が、幅方向の外側に張り出すように湾曲している。
天板部材４と底板部材５とは外周縁部同士が接合されている。浴室カウンター２の外周縁部には、厚さ方向（上下方向）に厚みを有する外周側壁部２３が形成されている。外周側壁部２３は、略平面状の壁部であり、上側から下側に向かって漸次、平面視における浴室カウンター２の内側から外側に向かう方向に傾斜している。
【００２１】
図１に示すように、浴室カウンター２は、２つの長辺端部２１，２２のうちの一方の長辺端部側がブラケット３に係合され、他方の長辺端部側が第一壁部１０３よりも手前側に向かって突出している。２つの長辺端部２１，２２のうち、手前側に位置する長辺端部を第一長辺端部２１と称し、ブラケット３と係合される側の長辺端部を第二長辺端部２２と称する。第一長辺端部２１は、幅方向の中央が手前側に張り出すように湾曲している。第二長辺端部２２は直線状に延びている。
ブラケット３に取り付けられた使用状態の浴室カウンター２は、左側の縁部が浴槽１０１のエプロン１０５と離間し、右側の縁部が浴室の壁部と離間している。浴室カウンター２とエプロン１０５との隙間、および浴室カウンター２とその右側の壁部との隙間は、シャワーホース１０９ａ（図１参照）が入り込むことができる大きさとなっている。
なお、図２に示すように、収納状態の浴室カウンター２は、第一長辺端部２１が上側となり、第二長辺端部２２が下側となる向きでブラケット３に係合される。
【００２２】
図３−図５に示すように、浴室カウンター２には、厚さ方向に貫通する排水口２４が形成されている。図３に示すように、排水口２４は、第一長辺端部２１の近傍であって、第一長辺端部２１よりも奥側に形成され、第一長辺端部２１と略平行に延びる長孔である。排水口２４の幅方向の両端部は、幅方向の外側（幅方向の中央から左右に向かう側）に突出するように湾曲する円弧形状に形成されている。幅方向の端部側から中央に向かう側を幅方向の内側とする。
【００２３】
図４および図５に示すように、浴室カウンター２の載置面４１は、扁平に形成されている。載置面４１は、浴室カウンター２の外周縁部から排水口２４に向かって僅かに下降傾斜している。すなわち、浴室カウンター２が第一姿勢となると、載置面４１は、排水口２４の縁部の高さが最も低く、浴室カウンター２の外周縁部から排水口２４に向かって緩やかに下降傾斜している。ただし、載置面４１の傾斜角度は、載置面４１上の水が排水口２４に向かって流れ、物品を載置した際に、物品が自重で傾斜に沿って移動しない程度の僅かな傾斜である。
【００２４】
図５および図６に示すように、浴室カウンター２の裏面５１には、第二長辺端部２２側の領域に使用状態でブラケット３に係合される第一被係止部５２が設けられている。以下の浴室カウンター２の説明では、浴室カウンター２の裏面５１のうち第一被係止部５２が設けられている部分以外を底面５３とする。
図４および図６に示すように、浴室カウンター２の底面５３における幅方向の両側の端部分（幅方向の両側の端部近傍の領域）５３１，５３１は、それぞれ幅方向の中央から幅方向の端部に向かう方向に漸次上側に向かうように傾斜している。
【００２５】
なお、本実施形態では、上述したように天板部材４は外縁部分４２が下側に屈曲しており、この外縁部分４２の内側に底板部材５がはめ込まれている。このため、浴室カウンター２の底面５３における、天板部材４の外縁部分４２の下端部４２ａと底板部材５の外縁部５ａとが係合している部分に若干の水平面５３３が生じている。本発明では、このような若干の水平面５３３が生じている場合でも、浴室カウンター２の底面５３における幅方向の両側の端部分５３１，５３１は、それぞれ幅方向の中央から幅方向の端部に向かう方向に漸次上側に向かうように傾斜している形状であるものとする。上記のような水平面５３３が生じる場合は、この水平面の幅寸法は、シャワーホース１０９ａ（図１参照）の径よりも小さい値に設定されることが望ましい。
図６−図８に示すように、浴室カウンター２の底面５３における幅方向の両側の端部分５３１は、浴室カウンター２の奥行き方向全体にわたって上記のように傾斜している。浴室カウンター２の底面５３における幅方向の中間部分５３２（両側の端部分５３１，５３１の間の部分）は、幅方向に略水平に延びている。
なお、浴室カウンター２の底面５３における幅方向の両側の端部分５３１は、直線状に傾斜していてもよいし、幅方向の外側に張り出すように湾曲した状態で傾斜していてもよい。
【００２６】
図５および図６に示すように、浴室カウンター２の底面５３は、奥行き方向の奥側（第二長辺端部２２側）から手前側（第一長辺端部２１側）に向かって、漸次上側に向かうように傾斜している。浴室カウンター２の底面５３の奥行き方向の奥側から手前側に漸次上側に向かう傾斜は、浴室カウンター２の幅方向の全体にわたって形成されている。
なお、浴室カウンター２の底面５３は、奥行き方向の奥側から手前側に向かって直線状に傾斜していてもよいし、下側に張り出すように湾曲した状態で傾斜していてもよい。
【００２７】
浴室カウンター２の底面５３は、幅方向の中間部分５３２における奥行き方向の奥側の部分が低い位置に配置され、この部分から奥行き方向の手前側に向かって漸次上側に傾斜しているとともに、この部分から幅方向の両側に向かって漸次上側に傾斜している。浴室カウンター２の底面５３の外縁部は、浴室カウンター２の外周縁部に設けられた外周側壁部２３の下縁部に接続されている。外周側壁部２３は、奥行き方向の奥側よりも手前側がやや下側に配置されている。
【００２８】
次に、上述した本実施形態による浴室カウンターの作用・効果について図面を用いて説明する。
上述した本実施形態による浴室カウンター２は、平面視形状が矩形（略長方形）に形成され、底面５３における幅方向の両側の端部分５３１が幅方向の中央から幅方向の端部に向かう方向に漸次上側に向かうように傾斜している。これにより、浴室カウンター２の側方から（幅方向から）下側に入り込んだシャワーホース１０９ａ（図１参照）を引き出す際には、シャワーホース１０９ａが浴室カウンター２の底面５３における幅方向の両側の端部分５３１の傾斜に沿って移動し、シャワーホース１０９ａが浴室カウンター２に引っかかることがないため、シャワーホース１０９ａを浴室カウンター２の側方にスムーズに引き出すことができる。
【００２９】
また、本実施形態による浴室カウンター２は、底面５３は、奥行き方向の奥側（第二長辺端部２２側）から手前側（第一長辺端部２１側）に向かって、漸次上側に向かうように傾斜している。
このような構成とすることにより、浴室カウンター２の側方から下側に入り込んだシャワーホース１０９ａを引き出す際には、シャワーホース１０９ａを上方に引き上げることでシャワーホース１０９ａが底面５３に沿って前方にガイドされるため、シャワーホース１０９ａを浴室カウンター２の側方から前方に容易に引き出すことができる。
【００３０】
また、本実施形態による浴室カウンター２は、平面視形状における角部２５が湾曲していることにより、浴室カウンター２の側方から下側に入り込んだシャワーホース１０９ａを引き出す際に、シャワーホース１０９ａが浴室カウンター２の角部２５に引っかかることがないため、シャワーホース１０９ａを浴室カウンター２の側方に容易に引き出すことができる。
【００３１】
以上、本発明による浴室カウンターの実施形態について説明したが、本発明は上記の実施形態に限定されるものではなく、その趣旨を逸脱しない範囲で適宜変更可能である。
例えば、上記の実施形態では、浴室カウンター２は、第一壁部１０３に固定されたブラケット３に着脱可能に構成されているが、第一壁部に直接またはブラケットなどを介して固定され、取り外しできないように構成されていてもよい。
【００３２】
また、上記の実施形態では、浴室カウンター２は、厚さ方向から見た平面視における形状が幅方向に長尺となる略長方形であり、４つの角部２５が円弧形状に形成されている。これに対し、浴室カウンター２の４つの角部２５が円弧形状に形成されていなくてもよいし、手前側の２の角部２５のみ円弧形状に形成されていてもよい。また、浴室カウンター２の角部は、円弧状ではなく、隅切りされて傾斜していてもよいし、角に形成されていてもよい。
また、上記の実施形態では、浴室カウンター２は、平面視における幅方向の両側の縁部が、幅方向の外側にわずかに張り出すように湾曲している。これに対し、浴室カウンター２は、平面視における幅方向の両側の縁部が、直線状に延びていてもよいし、奥行き方向の中間部のみ直線状に延び、奥行き方向の奥側および手前側の部分が湾曲または傾斜していてもよい。
また、上記の実施形態では第一長辺端部２１は、幅方向の中央が手前側に張り出すように湾曲しているが直線状に延びていてもよい。
このように浴室カウンター２の平面視形状の矩形は、角部や４つの辺が湾曲していてもよく、略矩形となる形状であればよい。
【符号の説明】
【００３３】
２  浴室カウンター
２５  角部
５３  底面
１０３  第一壁部（壁面）
５３１  端部分（幅方向の両側の端部近傍の領域）
ＢＲ  浴室空間（浴室）
【図１】
2020032112.tif 000003
【図２】
2020032112.tif 000004
【図３】
2020032112.tif 000005
【図４】
2020032112.tif 000006
【図５】
2020032112.tif 000007
【図６】
2020032112.tif 000008
【図７】
2020032112.tif 000009
【図８】
2020032112.tif 000010